(57)【要約】車幅方向の中央に配置される単一のセンタドライバシート（Ａ）と、センタドライバシート（Ａ）の前方を囲むように左右フロントピラー（１２、１２）間に両端部が接合されるダッシュロアクロスメンバ（１４）と、左右前輪Ｔの内側に配置され、平面視して略Ｕ字状の頂部（１８ａ）が車両前方に向かって突出する略Ｕ字フレーム（１８）とを備え、ダッシュロアクロスメンバ（１４）は、車両前方に向かって凸形状のアーチ状に湾曲して形成され、略Ｕ字フレーム（１８）の左右脚部（１８ｂ、１８ｂ）は、ダッシュロアクロスメンバ（１４）の前面（１４ａ）に結合されている。
2015050032.tif 000002
【特許請求の範囲】
【請求項１】
車幅方向の中央且つ左右フロントピラーの近傍位置に配置される単一のセンタドライバシートと、
前記センタドライバシートの前方を囲むように前記左右フロントピラー間に両端部が接合され、車両前方に向かって凸形状のアーチ状に湾曲して形成されるダッシュロアクロスメンバと、
前記ダッシュロアクロスメンバの車両前方に配置され、該ダッシュロアクロスメンバの中央の頂点に前面衝突荷重を伝達する荷重伝達機構と、
を備えることを特徴とする車体前部構造。
【請求項２】
請求項１記載の車体前部構造において、
前記荷重伝達機構は、
左右前輪の内側に配置され、平面視して略Ｕ字状の頂部が車両前方に向かって突出する略Ｕ字フレームであることを特徴とする車体前部構造。
【請求項３】
請求項２記載の車体前部構造において、
前記略Ｕ字フレームは、前記頂部を間にした左右のスライド面を有することを特徴とする車体前部構造。
【請求項４】
請求項２記載の車体前部構造において、
前記左右フロントピラーは、前記ダッシュロアクロスメンバとの結合部から下方位置で車両後方に傾斜させてサイドシル前端に結合されることを特徴とする車体前部構造。
【請求項５】
請求項４記載の車体前部構造において、
前記略Ｕ字フレームは、左右脚部を有し、
前記左右脚部の後部に接合される連結部材が設けられ、
前記連結部材は、ダッシュロアパネルの傾斜面に沿って延在すると共に、
前記連結部材の下部は、フロアの前後方向に延びる左右フロアフレームと、車両前方に向かって湾曲するアウトリガーを介して前記サイドシル前端とにそれぞれ接合されることを特徴とする車体前部構造。
【請求項６】
請求項５項記載の車体前部構造において、
前記左右脚部間には、左脚部と右脚部とを繋ぐ拘束部材が架設されることを特徴とする車体前部構造。
【請求項７】
請求項２記載の車体前部構造において、
前記略Ｕ字フレーム及び前記ダッシュロアクロスメンバは、所定断面からなる中空管で形成されることを特徴とする車体前部構造。
【請求項８】
請求項２記載の車体前部構造において、
前記略Ｕ字フレームと前記ダッシュロアクロスメンバとは、上部側ブラケット及び下部側ブラケットによって上下方向から挟み込んで結合されることを特徴とする車体前部構造。
【請求項９】
請求項２記載の車体前部構造において、
前記ダッシュロアクロスメンバの湾曲形状は、前記センタドライバシートに着席するセンタドライバに対して左右対称であり、
前記センタドライバシートの下方のフロアパネルに隆起部が設けられ、
前記隆起部には、燃料タンク又は走行駆動源が配置されることを特徴とする車体前部構造。
【請求項１０】
請求項１記載の車体前部構造において、
前記荷重伝達機構は、
前記ダッシュロアクロスメンバの前面に接合され、車両前後方向に延びる左右フロントサイドフレーム前部と、
前記左右フロントサイドフレーム前部の前端に両端部が接合されるフロントクロスメンバと、
を備え、
前記フロントクロスメンバは、車両後方に向かって凸形状のアーチ状に湾曲して形成され、
前記フロントクロスメンバの凸形状の頂点と、前記ダッシュロアクロスメンバの凸形状の頂点とが接合されることを特徴とする車体前部構造。
【請求項１１】
請求項１０記載の車体前部構造において、
前記左右フロントピラーは、前記ダッシュロアクロスメンバとの結合部から下方位置で車両後方に傾斜させてサイドシル前端に結合されることを特徴とする車体前部構造。
【請求項１２】
請求項１１記載の車体前部構造において、
前記左右フロントサイドフレーム前部に連続する左右フロントサイドフレーム後部が設けられ、
前記左右フロントサイドフレーム後部は、ダッシュロアパネルの傾斜面に沿って延在すると共に、フロアの前後方向に延びる左右フロアフレームと、車両前方に向かって湾曲するアウトリガーを介して前記サイドシル前端とにそれぞれ接合されることを特徴とする車体前部構造。
【請求項１３】
請求項１０記載の車体前部構造において、
前記左右フロントサイドフレーム前部及び前記フロントクロスメンバは、前記ダッシュロアクロスメンバよりも耐荷重の耐力が小さく設定されることを特徴とする車体前部構造。
【請求項１４】
請求項１２記載の車体前部構造において、
前記左右フロントサイドフレーム前部及び前記フロントクロスメンバは、所定断面からなる中空管であり、内側の前記左右フロントサイドフレーム前部を外側の前記左右フロントサイドフレーム後部で挟み込んで嵌合することを特徴とする車体前部構造。
【請求項１５】
請求項１０記載の車体前部構造において、
前記左右フロントサイドフレーム前部と前記フロントクロスメンバの両端部とは、水平方向に隣接する側面同士を重ね合わせて接合されることを特徴とする車体前部構造。
【請求項１６】
請求１２項記載の車体前部構造において、
前記ダッシュロアクロスメンバの頂点と前記左右フロアフレーム間とを連結する荷重伝達部材が設けられることを特徴とする車体前部構造。
【請求項１７】
請求項１０記載の車体前部構造において、
前記左右フロントピラー間を連結するステアリングハンガが設けられ、
前記ダッシュロアクロスメンバの頂点と、前記ステアリングハンガとを接合する他の荷重伝達部材が架設されることを特徴とする車体前部構造。
【請求項１８】
請求項１０記載の車体前部構造において、
前記ダッシュロアクロスメンバの湾曲形状は、前記センタドライバシートに着席するセンタドライバに対して左右対称であり、
前記センタドライバシートの下方のフロアパネルに隆起部が設けられ、
前記隆起部には、燃料タンク又は走行駆動源が配置されることを特徴とする車体前部構造。
【請求項１９】
請求項１０記載の車体前部構造において、
前記左右フロントピラーから車両前方且つ下方に延びるアッパメンバ前端が設けられ、
前記アッパメンバ前端は、前記左右フロントサイドフレーム前部の前端に接合されることを特徴とする車体前部構造。
【発明の詳細な説明】
【技術分野】
【０００１】
本発明は、例えば、自動車等の車体前部構造に関する。
【背景技術】
【０００２】
例えば、特許文献１には、図１７に示されるように、シートの中心を結んだ仮想線（一点鎖線）が菱形となるように、車両の車室内に４つのシートを配置する構成が開示されている。【０００３】
特許文献１のように４つのシートを菱形に配置した場合、車両前方の中央には、センタドライバシートＡが位置することとなる。
【先行技術文献】
【特許文献】
【０００４】
【特許文献１】特許第４８７３２８８号公報
【発明の概要】
【発明が解決しようとする課題】
【０００５】
ところで、例えば、右ハンドル仕様や左ハンドル仕様の自動車のように車幅方向の片側（一側又は他側）にドライバシートが配置される通常の車体構造を、そのまま特許文献１のようなセンタドライバ仕様の車両に適用してセンタドライバを保護することが困難である。このため、センタドライバを保護するための特別な構造が要請されている。【０００６】
また、センタドライバ仕様の車体構造とした場合に、通常の自動車の車体構造と比較してより一層の小型化及び軽量化が希求されている。【０００７】
本発明の一般的な目的は、センタドライバ仕様の車体構造において、車体の小型化及び軽量化を図ることが可能な車体前部構造を提供することにある。
本発明の主たる目的は、前面衝突荷重が車体に付与されたときにセンタドライバを保護することが可能な車体前部構造を提供することにある。
【課題を解決するための手段】
【０００８】
前記の目的を達成するために、本発明は、車幅方向の中央且つ左右フロントピラーの近傍位置に配置される単一のセンタドライバシートと、前記センタドライバシートの前方を囲むように前記左右フロントピラー間に両端部が接合され、車両前方に向かって凸形状のアーチ状に湾曲して形成されるダッシュロアクロスメンバと、前記ダッシュロアクロスメンバの車両前方に配置され、該ダッシュロアクロスメンバの中央の頂点に前面衝突荷重を伝達する荷重伝達機構と、を備えることを特徴とする。【０００９】
本発明によれば、単一のセンタドライバシートが車幅方向の中央且つ左右フロントピラーの近傍位置に配置されることで、センタドライバ仕様が可能となり、車体の小型化及び軽量化を達成することができる。また、本発明によれば、ダッシュロアクロスメンバが車両前方に向かって凸形状のアーチ状に湾曲して形成されることで、ダッシュロアクロスメンバの前方からの荷重に対する耐力を高めることができる。さらに、本発明によれば、例えば、衝突物と車幅中央位置で前面衝突した場合、荷重伝達機構によって伝達された前面衝突荷重をダッシュロアクロスメンバで吸収することができる。さらにまた、本発明によれば、ダッシュロアクロスメンバの両端部が左右フロントピラー間に接合されているため、左右フロントピラーを介して前面衝突荷重を車体の左右両側に均等に分散させることができる。なお、左右均等に分散された前面衝突荷重は、ダッシュロアクロスメンバから左右フロントピラーやサイドシル等に伝達される。【００１０】
また、本発明は、前記荷重伝達機構が、左右前輪の内側に配置され、平面視して略Ｕ字状の頂部が車両前方に向かって突出する略Ｕ字フレームであることを特徴とする。【００１１】
本発明によれば、例えば、衝突物（ポール等の路面に立設する柱状物）と前面衝突した際、この衝突物を略Ｕ字フレームの前面に沿って滑らせて衝突荷重をいなす（そらす）ことで、センタドライバシートに乗席するセンタドライバを保護することができる。また、本発明によれば、フロントオーバハングを伸ばすことがないため、車体重量の増加を回避してフロント骨格部の軽量化を達成することができる。さらに、本発明によれば、ダッシュロアクロスメンバを車両前方に向かって凸形状のアーチ状に湾曲して形成することにより、車体の片側にドライバシートが配置された従来の車両と比較して、センタドライバの足元スペースを左右フロントピラーよりも前方位置に確保することができる。このため、本発明では、キャビン内のスペースをセンタドライバの足元スペース分だけ拡大することができると共に、センタドライバ位置の車両前後方向への自由度（レイアウト）を増大させることができる。【００１２】
さらに、本発明は、前記略Ｕ字フレームが、前記頂部を間にした左右のスライド面を有することを特徴とする。【００１３】
本発明によれば、衝突物（ボール等の路面に立設する柱状物）と前面衝突した際、左右のスライド面に沿って衝突物を円滑に滑らせて衝突荷重をいなす（そらす）ことができるため、衝突荷重の緩衝性を向上させることができる。また、センタドライバの足元スペースをさらに車両前方位置に確保することができる。なお、左右のスライド面は、車幅方向外側に向かうにつれて車両後方に位置するように設けられるとよい。【００１４】
さらにまた、本発明は、前記左右フロントピラーが、前記ダッシュロアクロスメンバとの結合部から下方位置で車両後方に傾斜させてサイドシル前端に結合されることを特徴とする。【００１５】
本発明によれば、仮に、左右フロントピラーを鉛直下方向の位置でサイドシル前端に結合した場合と比較して、左右フロントピラーを車両後方に傾斜させた分だけセンタドライバの足元スペースを、車両前方の位置に確保することができる。【００１６】
さらにまた、本発明は、前記左右脚部の後部に接合される連結部材が設けられ、前記連結部材は、ダッシュロアパネルの傾斜面に沿って延在すると共に、前記連結部材の下部は、フロアの前後方向に延びる左右フロアフレームと、車両前方に向かって湾曲するアウトリガーを介して前記サイドシル前端とにそれぞれ接合されることを特徴とする。【００１７】
本発明によれば、前面衝突時に入力される衝突荷重を、左右脚部の後部に接合される連結部材を介して、キャビンを構成する左右フロアフレーム、アウトリガー、及び、サイドシルによって吸収することにより、キャビン全体で受容することができる。また、本発明によれば、ダッシュロアパネルを車両前方に傾斜（湾曲）させることで、センタドライバの足元スペースを増大させることができる。【００１８】
さらにまた、本発明は、前記左右脚部間に、左脚部と右脚部とを繋ぐ拘束部材が架設されることを特徴とする。【００１９】
本発明によれば、例えば、衝突物と車幅中央位置で前面衝突した際、略Ｕ字フレームの左右脚部が拘束部材で拘束されているため、略Ｕ字フレームの頂部が衝突荷重によってダッシュロアクロスメンバ側に変形し、衝突荷重をダッシュロアクロスメンバで吸収することができる。【００２０】
さらにまた、本発明は、前記略Ｕ字フレーム及び前記ダッシュロアクロスメンバが、所定断面からなる中空管で形成されることを特徴とする。【００２１】
本発明によれば、中空管で構成される略Ｕ字フレーム及びダッシュロアクロスメンバの断面積を小さくしても、所定の強度・剛性を確保しつつ軽量化を達成することができると共に、容易に製造することができる。【００２２】
さらにまた、本発明は、前記略Ｕ字フレームと前記ダッシュロアクロスメンバとが、上部側ブラケット及び下部側ブラケットによって上下方向から挟み込んで結合されることを特徴とする。【００２３】
本発明によれば、略Ｕ字フレーム及びダッシュロアクロスメンバの曲率等の製造誤差を、上部側ブラケット及び下部側ブラケットによって上下方向から挟み込んで結合することで好適に吸収することができる。【００２４】
さらにまた、本発明は、前記ダッシュロアクロスメンバの湾曲形状が、前記センタドライバシートに着席するセンタドライバに対して左右対称であり、前記センタドライバシートの下方のフロアパネルに隆起部が設けられ、前記隆起部には、燃料タンク又は走行駆動源が配置されることを特徴とする。【００２５】
本発明によれば、このように構成することで、センタドライバシートを車体前部に近接配置することが可能となり、例えば、フォミュラーワン（Ｆ１）ドライバのような走行感覚が得られると共に、前方視界が良好となり前方視界とセンタドライバの車体感覚とのズレを無くすことができる。【００２６】
さらにまた、本発明は、前記荷重伝達機構が、前記ダッシュロアクロスメンバの前面に接合され、車両前後方向に延びる左右フロントサイドフレーム前部と、前記左右フロントサイドフレーム前部の前端に両端部が接合されるフロントクロスメンバと、を備え、前記ダッシュロアクロスメンバは、車両前方に向かって凸形状のアーチ状に湾曲して形成され、前記フロントクロスメンバは、車両後方に向かって凸形状のアーチ状に湾曲して形成され、前記フロントクロスメンバの凸形状の頂点と、前記ダッシュロアクロスメンバの凸形状の頂点とが接合されることを特徴とする。【００２７】
本発明によれば、例えば、前面衝突時において、左右フロントサイドフレーム前部の一方から入力された衝突荷重の一部は、車両後方に向かって湾曲するフロントクロスメンバに伝達され、さらに、相互に接合された頂点同士を介して、フロントクロスメンバから車両前方に向かって湾曲するダッシュロアクロスメンバに伝達されて衝突荷重を左右に分散させることができる。左右に分散された衝突荷重は、ダッシュロアクロスメンバから左右フロントピラーに伝達される。また、前面衝突時において、左右フロントサイドフレーム前部の一方から入力された衝突荷重の残部は、左右フロアフレームやサイドシル等に伝達される。このように本発明では、例えば、前面衝突時に入力された衝突荷重をキャビン全体で受容することにより、車体の小型化及び軽量化を達成することができる。さらに、本発明によれば、車体の片側にドライバシートが配置された従来の車両と比較して、センタドライバの足元スペースを左右フロントピラーよりも前方位置に確保することができる。このため、本発明では、キャビン内のスペースをセンタドライバの足元スペース分だけ拡大することができると共に、センタドライバ位置の車両前後方向への自由度（レイアウト）を増大させることができる。【００２８】
また、本発明は、前記左右フロントピラーが、前記ダッシュロアクロスメンバとの結合部から下方位置で車両後方に傾斜させてサイドシル前端に結合されることを特徴とする。【００２９】
本発明によれば、仮に、左右フロントピラーを鉛直下方向の位置でサイドシル前端に結合した場合と比較して、左右フロントピラーを車両後方に傾斜させた分だけセンタドライバの足元スペースを、車両前方の位置に確保することができる。【００３０】
さらに、本発明は、前記左右フロントサイドフレーム前部に連続する左右フロントサイドフレーム後部が設けられ、前記左右フロントサイドフレーム後部が、ダッシュロアパネルの傾斜面に沿って延在すると共に、フロアの前後方向に延びる左右フロアフレームと、車両前方に向かって湾曲するアウトリガーを介して前記サイドシル前端とにそれぞれ接合されることを特徴とする。【００３１】
本発明によれば、前面衝突時に入力される衝突荷重を、キャビンを構成する左右フロントサイドフレーム、アウトリガー、及び、サイドシルによって吸収することにより、キャビン全体で受容することができる。また、本発明によれば、ダッシュロアパネルを車両前方に湾曲させることで、センタドライバの足元スペースを増大させることができる。【００３２】
さらにまた、本発明は、前記左右フロントサイドフレーム前部及び前記フロントクロスメンバが、前記ダッシュロアクロスメンバよりも耐荷重の耐力が小さく設定されることを特徴とする。【００３３】
本発明によれば、このように設定することにより、前面衝突時に入力される衝突荷重で左右フロントサイドフレーム前部及びフロントクロスメンバが、ダッシュロアクロスメンバよりも優先的に潰れて衝撃荷重を好適に吸収することができる。【００３４】
さらにまた、本発明は、前記左右フロントサイドフレーム前部及び前記フロントクロスメンバが、所定断面からなる中空管であり、内側の前記左右フロントサイドフレーム前部を外側の前記左右フロントサイドフレーム後部で挟み込んで嵌合することを特徴とする。【００３５】
本発明によれば、中空管で構成される左右フロントサイドフレーム前部及びフロントクロスメンバの断面積を小さくしても、所定の強度・剛性を確保しつつ軽量化を達成することができると共に、容易に製造することができる。【００３６】
さらにまた、本発明は、前記左右フロントサイドフレーム前部と前記フロントクロスメンバの両端部とが、水平方向に隣接する側面同士を重ね合わせて接合されることを特徴とする。【００３７】
本発明によれば、左右フロントサイドフレーム前部がフロントクロスメンバの両端部と水平方向に隣接する側面同士で重ね合わされて接合され、延在方向と直交する断面積がフロントサイドフレームの断面積とフロントクロスメンバの断面積とが合算された断面積となって増大することにより、前面衝突時の衝突荷重に対する反力を増大させることができる。さらに、前面衝突に入力される衝突荷重によって、左右フロントサイドフレーム前部及びフロントクロスメンバの両端部が同時又は略同時に潰されることにより、衝突荷重の吸収量を増大させることができる。【００３８】
さらにまた、本発明は、前記ダッシュロアクロスメンバの頂点と前記左右フロアフレーム間とを連結する荷重伝達部材が設けられることを特徴とする。【００３９】
本発明によれば、荷重伝達部材によって、ダッシュロアパネルの前後位置に略トラス（truss）構造を設けることができ、センタドライバの前方に位置するダッシュロアパネルの強度・剛性を向上させることができる。さらに、前面衝突の際、ダッシュロアパネルの後方に位置する略トラス構造が、ダッシュロアパネルの前方に位置する略トラス構造を潰して圧壊を促進して衝突荷重の吸収量を増大させることができる。【００４０】
さらにまた、本発明は、前記ダッシュロアクロスメンバの頂点と、前記左右フロントピラー間を連結するステアリングハンガとを接合する他の荷重伝達部材が架設されることを特徴とする。【００４１】
本発明によれば、他の荷重伝達部材によって、ダッシュロアパネルの前後位置に略トラス（truss）構造を設けることができ、センタドライバの前方に位置するダッシュロアパネルの強度・剛性を向上させることができる。さらに、前面衝突の際、ダッシュロアパネルの後方に位置する略トラス構造が、ダッシュロアパネルの前方に位置する略トラス構造を潰して圧壊を促進して衝突荷重の吸収量を増大させることができる。【００４２】
さらにまた、本発明は、前記ダッシュロアクロスメンバの湾曲形状が、前記センタドライバシートに着席するセンタドライバに対して左右対称であり、前記センタドライバシートの下方のフロアパネルに隆起部が設けられ、前記隆起部には、燃料タンク又は走行駆動源が配置されることを特徴とする。【００４３】
本発明によれば、このように構成することで、センタドライバシートを車体前部に近接配置することが可能となり、例えば、フォミュラーワン（Ｆ１）ドライバのような走行感覚が得られると共に、前方視界が良好となり前方視界とセンタドライバの車体感覚とのズレを無くすことができる。【００４４】
さらにまた、本発明は、前記左右フロントピラーから車両前方且つ下方に延びるアッパメンバ前端が設けられ、前記アッパメンバ前端は、前記左右フロントサイドフレーム前部の前端に接合されることを特徴とする。【００４５】
本発明によれば、例えば、オフセット前面衝突の際、過大な衝撃荷重が、左右フロントサイドフレームの一方及びフロントクロスメンバに入力されると共に、アッパメンバにも入力されて衝撃荷重の分散化を達成することができる。
【発明の効果】
【００４６】
本発明では、センタドライバ仕様の車体構造において、車体の小型化及び軽量化を図ると共に、衝突荷重が車体に付与されたときにセンタドライバを保護することが可能な車体前部構造を得ることができる。
【図面の簡単な説明】
【００４７】
【図１】本発明の実施形態に係る車体前部構造が適用された車体前部の透過斜視図である。
【図２】図１に示す車体前部構造の斜視図である。
【図３】（ａ）は、図１に示す車体前部構造の斜視図、（ｂ）は、（ａ）のＩ−Ｉ線に沿った拡大断面図である。
【図４】（ａ）は、図１に示す車体前部構造の斜視図、（ｂ）は、上部側ブラケット及び下部側ブラケットによって略Ｕ字フレーム及びダッシュロアクロスメンバを挟み込んで結合される状態を示す分解斜視図、（ｃ）は、一体成形された三股筒状体からなる継手の斜視図、（ｄ）は、（ａ）のＩＩ−ＩＩ線に沿った拡大断面図、（ｅ）は、（ａ）のＩＩＩ−ＩＩＩ線に沿った拡大断面図である。
【図５】（ａ）は、センタドライバシートＡの下方に隆起部を設けた状態を示す車体前部の斜視図、（ｂ）は、（ａ）に示す車体前部から車体側部及びセンタドライバシートを外した状態を示す斜視図である。
【図６】前面衝突時に入力される衝突荷重を略Ｕ字フレームのスライド面によっていなす状態を示す平面模式図である。
【図７】（ａ）は、略Ｕ字フレームの頂部から衝突荷重が入力される状態を示す平面模式図、（ｂ）は、衝突荷重によって略Ｕ字フレームが潰れた状態を示す平面模式図である。
【図８】本発明の他の実施形態に係る車体前部構造が適用された車体前部の透過斜視図である。
【図９】図８に示す車体前部構造の斜視図である。
【図１０】図９に示す車体前部構造からアッパメンバを省略した斜視図である。
【図１１】（ａ）は、フロントサイドフレーム前部とフロントサイドフレーム後部との接合状態、及び、フロントサイドフレーム前部とフロントクロスメンバとの接合状態を示す斜視図、（ｂ）は、（ａ）におけるＢ部の断面図、（ｃ）は、（ａ）のＩＶ−ＩＶ線に沿った拡大断面図である。
【図１２】（ａ）は、センタドライバシートＡの下方に隆起部を設けた状態を示す車体前部の斜視図、（ｂ）は、（ａ）に示す車体前部から車体側部及びセンタドライバシートを外した状態を示す斜視図である。
【図１３】（ａ）は、前面衝突時に、左フロントサイドフレーム前部から入力された衝突荷重の伝達経路を示す平面模式図、（ｂ）は、センタドライバの足元スペースを示す平面模式図である。
【図１４】（ａ）は、左フロントサイドフレーム前部から衝突荷重が入力される状態を示す平面模式図、（ｂ）は、衝突荷重によって左右フロントサイドフレーム前部及びフロントクロスメンバが、ダッシュロアクロスメンバよりも優先的に潰れた状態を示す平面模式図である。
【図１５】（ａ）は、本発明のさらに他の実施形態に係る車体前部構造の平面模式図、（ｂ）は、（ａ）のＶ−Ｖ線に沿った縦断面図である。
【図１６】（ａ）は、本発明のさらに他の実施形態に係る車体前部構造の斜視図、（ｂ）は、（ａ）のＶＩ−ＶＩ線に沿った縦断面図である。
【図１７】従来技術に係る複数のシート配置を示す斜視図である。
【発明を実施するための形態】
【００４８】
次に、本発明の実施形態について、適宜図面を参照しながら詳細に説明する。図１は、本発明の実施形態に係る車体前部構造が適用された車体前部の透過斜視図、図２は、図１に示す車体前部構造の斜視図である。なお、各図中に矢印で示される、「前後」及び「上下」は、車両の前後方向及び上下方向を示し、「左右」は、運転席から見た左右方向（車幅方向）をそれぞれ示している。
【００４９】
図１、図２に示されるように、本発明の実施形態に係る車体前部構造１０は、車両前方で且つ車幅方向の中央に配置される単一のセンタドライバシートＡ（図１参照）と、センタドライバシートＡの前方を囲むように左右フロントピラー１２、１２間に両端部が接合されるダッシュロアクロスメンバ１４と、左右前輪Ｔの内側に配置され、平面視して略Ｕ字状に形成される略Ｕ字フレーム１８とを備えて構成されている。なお、単一のセンタドライバシートＡは、左右フロントピラー１２、１２の近傍位置に配置されている。
【００５０】
略Ｕ字フレーム１８は、車両前方に向かって突出する頂部１８ａと、車幅方向に所定間隔離間し車両後方に延在する左右の脚部１８ｂ、１８ｂ（以下、左右の脚部全体を示すときは、単に「脚部１８ｂ」という）とから構成される。略Ｕ字フレーム１８の脚部１８ｂは、後記する上部側ブラケット１６ａ及び下部側ブラケット１６ｂを介してダッシュロアクロスメンバ１４の前面１４ａに結合されている。
【００５１】
また、略Ｕ字フレーム１８には、頂部１８ａを間にした両側湾曲面からなる左右のスライド面２０が設けられている。左右のスライド面２０は、頂部１８ａと脚部１８ｂとの間に配置され、車幅方向外側に向かうにつれて車両後方に位置（傾斜）するように設けられている。この左右のスライド面２０は、後記するように、衝突物Ｍ（後記する図６参照）をスライド面２０上に沿って滑らすことにより、衝突荷重をいなす機能を営むものである。
【００５２】
さらに、略Ｕ字フレーム１８の左右脚部１８ｂ、１８ｂ間には、後記する図７（ａ）に示されるように、左脚部１８ｂと右脚部１８ｂとを繋ぐ拘束部材２１が架設されるとよい。この拘束部材２１は、例えば、ワイヤ等の高強度連結部材からなり、脚部１８ｂをワイヤで拘束（保持）した状態で、例えば、前面衝突時に頂部１８ａをダッシュロアクロスメンバ１４側に変形させることができる（後記する図７（ｂ）参照）。
【００５３】
ダッシュロアクロスメンバ１４は、車両前方に向かって凸形状のアーチ状に湾曲して形成されている。略Ｕ字フレーム１８は、車両前方に向かって平面視して略Ｕ字状に湾曲して形成されている。この場合、略Ｕ字フレーム１８の頂部近傍の円弧部位の曲率半径は、ダッシュロアクロスメンバ１４の曲率半径よりも小さく設定されている（図６参照）。
【００５４】
図３（ａ）は、図１に示す車体前部構造の斜視図、図３（ｂ）は、図３（ａ）のＩ−Ｉ線に沿った拡大断面図である。
図３（ｂ）に示されるように、略Ｕ字フレーム１８及びダッシュロアクロスメンバ１４は、矩形断面（所定断面）からなる中空管で構成されている。この場合、中空管からなる略Ｕ字フレーム１８とダッシュロアクロスメンバ１４とは、上部側ブラケット１６ａ及び下部側ブラケット１６ｂによって上下方向から挟み込んで結合されている（後記する図４（ｄ）参照）。
【００５５】
なお、中空管である略Ｕ字フレーム１８及びダッシュロアクロスメンバ１４は、例えば、鋼板をロールフォーム成形した後、加熱処理加工によって高強度化して形成されるとよい。また、略Ｕ字フレーム１８及びダッシュロアクロスメンバ１４を、アルミニウム押し出し成形やＦＲＰ（Fiber Reinforced Plastics）によって形成してもよい。さらに、鋼板をロールフォーム成形で中空管を形成した後、例えば、熱間３次元曲げ加工等によって高強度化して形成されるようにしてもよい。さらにまた、アルミニウム押し出し成形中又はアルミニウム押し出し成形後に、曲げ加工によって形成するようにしてもよい。さらにまた、マンドレル（芯金）にＦＲＰを巻き付けて硬化させるようにしてもよい。
【００５６】
図４（ａ）は、図１に示す車体前部構造の斜視図、図４（ｂ）は、上部側ブラケット及び下部側ブラケットによって略Ｕ字フレーム及びダッシュロアクロスメンバを挟み込んで結合される状態を示す分解斜視図、図４（ｃ）は、一体成形された三股筒状体からなる継手の斜視図、図４（ｄ）は、図４（ａ）のＩＩ−ＩＩ線に沿った拡大断面図、図４（ｅ）は、図４（ａ）のＩＩＩ−ＩＩＩ線に沿った拡大断面図である。
【００５７】
図４（ｂ）に示されるように、上部側ブラケット１６ａは、平面視して略Ｔ字を呈し断面略ハット状に形成されている。平面視して略Ｔ字に形成することで、略Ｕ字フレーム１８及びダッシュロアクロスメンバ１４の結合部位の形状に対応させることができる。断面略ハット状の部分には、下部側ブラケット１６ｂと溶接される接合フランジ１７が設けられている。
【００５８】
下部側ブラケット１６ｂは、上部側ブラケット１６ａの形状に対応し、平面視して略Ｔ字状からなる平板状のプレート部材によって形成されている。図４（ｂ）、図４（ｄ）に示されるように、略Ｕ字フレーム１８の脚部１８ｂの後端とダッシュロアクロスメンバ１４の湾曲する中間部とは、上部側ブラケット１６ａ及び下部側ブラケット１６ｂによって上下方向から挟み込まれた状態で一体的に結合されている。上部側ブラケット１６ａ及び下部側ブラケット１６ｂは、例えば、ＭＩＧ溶接（Metal Inert Gas Welding）やレーザ溶接等によって接合される（図４（ｅ）参照）。なお、図４（ｃ）に示されるように、上部側ブラケット１６ａと下部側ブラケット１６ｂとを一体成形して三股筒状体からなる継手１６ｃを構成することで、応力が集中する継手１６ｃの剛性・強度を向上させることができる。
【００５９】
図２に戻って、略Ｕ字フレーム１８の脚部１８ｂの後部には、連結部材２２の上部が接合されている。連結部材２２は、ダッシュロアパネル２４の傾斜面に沿って延在するように設けられている。連結部材２２の下部は、フロアパネル（フロア）２６の前後方向に延びる左右フロアフレーム２８、２８と、車両前方に向かって湾曲するアウトリガー３０を介してサイドシル前端３２ａとにそれぞれ接合されている。
【００６０】
図４（ｂ）、図４（ｅ）に示されるように、連結部材２２の上端には、接合フランジ２３が設けられている。この場合、図４（ｅ）に示されるように、上部側ブラケット１６ａの接合フランジ１７、下部側ブラケット１６ｂ、及び、連結部材２２の接合フランジ２３からなる三者が一体的に接合されることで、連結部材２２の上部が略Ｕ字フレーム１８の脚部１８ｂに接合されている。
【００６１】
図２に示されるように、左右フロントピラー１２は、ダッシュロアクロスメンバ１４との結合部３６から下方位置で車両後方に傾斜させてサイドシル前端３２ａに結合されている。サイドシル前端３２ａは、車幅方向の側端で車両後方に向かって延在するサイドシル３２の前方に位置している。
【００６２】
ダッシュロアクロスメンバ１４の湾曲形状は、後記する図６に示されるように、センタドライバシートＡに着席するセンタドライバＤに対して左右対称に構成されている。
【００６３】
図５（ａ）は、センタドライバシートＡの下方に隆起部を設けた状態を示す車体前部の斜視図、図５（ｂ）は、図５（ａ）に示す車体前部から車体側部及びセンタドライバシートを外した状態を示す斜視図である。
【００６４】
センタドライバシートＡの下方のフロアパネル２６には、図５（ａ）、図５（ｂ）に示されるように、隆起部４０が設けられている。この隆起部４０は、フロアパネル２６の平坦面から鉛直上方向に向かって膨出して形成されることにより、その内部に収容空間が形成される。この隆起部４０の収容空間内には、例えば、図示しない燃料タンク又は走行駆動源（例えば、電動モータ、バッテリ等）が配置される。
【００６５】
本実施形態に係る車体前部構造１０は、基本的に以上のように構成されるものであり、次にその作用効果について説明する。
【００６６】
図６は、前面衝突時に入力される衝突荷重を略Ｕ字フレームのスライド面によっていなす状態を示す平面模式図、図７（ａ）は、略Ｕ字フレームの頂部から衝突荷重が入力される状態を示す平面模式図、図７（ｂ）は、衝突荷重によって略Ｕ字フレームが潰れた状態を示す平面模式図である。
【００６７】
本実施形態では、図６に示されるように、例えば、衝突物Ｍ（ポール等の路面に立設する柱状物）と前面衝突した際、この衝突物Ｍを略Ｕ字フレーム１８のスライド面２０に沿って滑らせて衝突荷重をいなす（そらす）ことで、センタドライバシートＡに乗席するセンタドライバＤを保護することができる。
【００６８】
また、本実施形態では、図１に示されるような車体前部構造１０を採用することで、フロントオーバハングを伸ばすことがないため、車体重量の増加を回避してフロント骨格部の軽量化を達成することができる。
【００６９】
さらに、本実施形態では、ダッシュロアクロスメンバ１４を車両前方に向かって凸形状のアーチ状に湾曲して形成することにより、車幅方向に沿った車体前部の片側にドライバシートが配置された従来の車両と比較して、センタドライバＤの足元スペースを左右フロントピラー１２、１２よりも前方位置（図６の領域Ｇ参照）に確保することができる。このため、本実施形態では、キャビン内のスペースをセンタドライバＤの足元スペース分（領域Ｇ）だけ拡大することができると共に、車両前後方向へのセンタドライバ位置の自由度（レイアウト）を増大させることができる。
【００７０】
さらにまた、本実施形態では、図６に示されるように、衝突物Ｍ（ボール等の路面に立設する柱状物）と前面衝突した際、略Ｕ字フレーム１８のスライド面２０に沿って衝突物Ｍを円滑に滑らせて衝突荷重をいなす（そらす）ことができる。このため、本実施形態では、衝突荷重の緩衝性を向上させることができる。また、センタドライバＤの足元スペースをさらに車両前方位置に確保することができる。
【００７１】
さらにまた、本実施形態では、仮に、左右フロントピラー１２、１２を鉛直下方向の位置でサイドシル前端３２ａに結合した場合と比較して、左右フロントピラー１２、１２を車両後方に向けて傾斜させて結合しているため（図２参照）、車両後方へ傾斜した分だけセンタドライバＤの足元スペースを、車両前方の位置に確保することができる。換言すると、左右フロントピラー１２、１２は、サイドシル前端３２ａの位置から車両前方に向けて立ち上がるように傾斜させることで、車両前方側に向けて傾斜した分だけセンタドライバＤの足元スペースを、車両前方の位置に確保することができる。
【００７２】
さらにまた、本実施形態では、前面衝突時に入力される衝突荷重を、キャビンを構成する連結部材２２、アウトリガー３０、及び、サイドシル３２によって吸収することにより、キャビン全体で受容することができる。また、本実施形態では、ダッシュロアパネル２４（図２参照）を車両前方に折曲（湾曲）させることで、センタドライバＤの足元スペースをより一層増大させることができる。
【００７３】
さらにまた、本実施形態では、例えば、衝突物Ｍと車幅中央位置で前面衝突した際、図７（ａ）に示されるように、略Ｕ字フレーム１８の脚部１８ｂが、例えば、ワイヤ等の拘束部材２１で拘束（保持）されているため、略Ｕ字フレーム１８の頂部１８ａが衝突荷重によってダッシュロアクロスメンバ１４側に変形し、衝突荷重をダッシュロアクロスメンバ１４で吸収することができる（図７（ｂ）参照）。
【００７４】
換言すると、略Ｕ字フレーム１８の脚部１８ｂを、例えば、ワイヤ等の拘束部材２１で拘束（保持）することにより、略Ｕ字フレーム１８に対して衝突荷重が入力されたときに脚部１８ｂが車幅方向側に拡開しようとすることを防止し、略Ｕ字フレーム１８の頂部１８ａがダッシュロアクロスメンバ１４側に変形して衝突荷重を伝達することができる。
【００７５】
さらにまた、本実施形態では、中空管で構成される略Ｕ字フレーム１８及びダッシュロアクロスメンバ１４の断面積を小さくしても、所定の強度・剛性を確保しつつ軽量化を達成することができると共に、容易に製造することができる。
【００７６】
さらにまた、本実施形態では、図４（ｂ）、図４（ｄ）に示されるように、上部側ブラケット１６ａ及び下部側ブラケット１６ｂによって略Ｕ字フレーム１８及びダッシュロアクロスメンバ１４を上下方向から挟み込んで一体的に結合することで、略Ｕ字フレーム１８及びダッシュロアクロスメンバ１４の曲率等の製造誤差を好適に吸収することができる。
【００７７】
さらにまた、本実施形態では、センタドライバシートＡの下方のフロアパネル２６に隆起部４０が設けられ、この隆起部４０の収納空間内に図示しない燃料タンク又は走行駆動源が配置されることにより、キャビンスペースを拡大させて空間の有効利用を図ることができる。
【００７８】
さらにまた、本実施形態では、ダッシュロアクロスメンバ１４の湾曲形状が、センタドライバシートＡに着席するセンタドライバＤに対して左右対称に構成することで、センタドライバシートＡを車体前部に近接配置することが可能となり、例えば、フォミュラーワン（Ｆ１）のような走行感覚が得られると共に、前方視界が良好となり前方視界とセンタドライバＤの車体感覚とのズレを無くすことができる。
【００７９】
次に、本発明の他の実施形態について、以下に説明する。なお、図１〜図７に示す前記実施形態と同一の構成要素には、同一の参照符号を付してその詳細な説明を省略する。図８は、本発明の実施形態に係る車体前部構造が適用された車体前部の透過斜視図、図９は、図８に示す車体前部構造の斜視図、図１０は、図９に示す車体前部構造からアッパメンバを省略した斜視図である。
【００８０】
図９に示されるように、他の実施形態に係る車体前部構造１０ａは、ダッシュロアクロスメンバ１４の前面に接合され、車両前後方向に直線状に延びる左右フロントサイドフレーム前部１１６、１１６と、左右フロントサイドフレーム前部１１６、１１６の前端１１６ａに両端部１８ａが接合されるフロントクロスメンバ１１８と、左右フロントピラー１２、１２から車両前方且つ下方に延びるアッパメンバ１２０とを備えて構成されている。
【００８１】
左右フロントサイドフレーム前部１１６、１１６の後方には、左右フロントサイドフレーム前部１１６、１１６に連続する左右フロントサイドフレーム後部１２２、１２２がそれぞれ設けられている。左右フロントサイドフレーム後部１２２、１２２は、図１０に示されるように、ダッシュロアパネル２４の傾斜面に沿って延在すると共に、フロアパネル（フロア）２６の前後方向に延びる左右フロアフレーム２８、２８と、車両前方に向かって湾曲するアウトリガー３０を介してサイドシル前端３２ａとにそれぞれ接合されている。また、左右フロントサイドフレーム後部１２２、１２２の上端は、ダッシュロアクロスメンバ１４の前面に接合されている。
【００８２】
ダッシュロアクロスメンバ１４は、車両前方に向かって凸形状のアーチ状に湾曲して形成されている。フロントクロスメンバ１１８は、車両後方に向かって凸形状のアーチ状（平面視して略Ｕ字状）に湾曲して形成されている。フロントクロスメンバ１１８の凸形状の頂点と、ダッシュロアクロスメンバ１４の凸形状の頂点とは、図示しない溶接手段によって接合されて結合点１３４となっている。
【００８３】
図９及び図１０に示されるように、左右フロントピラー１２は、ダッシュロアクロスメンバ１４との結合部３６から下方位置で車両後方に傾斜させてサイドシル前端３２ａに結合されている。サイドシル前端３２ａは、車幅方向の側端で車両後方に向かって延在するサイドシル３２の前方に位置している。
【００８４】
図９に示されるように、左右フロントピラー１２、１２から車両前方且つ下方に傾斜して延びるアッパメンバ１２０の前端１２０ａは、中間部材１２１を介して左右フロントサイドフレーム前部１１６、１１６の前端１１６ａに接合されている。
【００８５】
図１１（ａ）は、フロントサイドフレーム前部とフロントサイドフレーム後部との接合状態、及び、フロントサイドフレーム前部とフロントクロスメンバとの接合状態を示す斜視図、図１１（ｂ）は、図１１（ａ）におけるＢ部の断面図、図１１（ｃ）は、図１１（ａ）のＩＶ−ＩＶ線に沿った拡大断面図である。
【００８６】
左右フロントサイドフレーム前部１１６、１１６及びフロントクロスメンバ１１８は、矩形断面（所定断面）からなる中空管で構成されている。この場合、内側の各フロントサイドフレーム前部１１６を外側の各フロントサイドフレーム後部１２２で挟み込んで嵌合されている。
【００８７】
図１１（ｂ）に示されるように、各フロントサイドフレーム後部１２２は、延在方向と直交する断面が略ハット状からなる突条部材１２２ａと、突条部材１２２ａに接合される平板状のプレート部材１２２ｂとから構成されている。各フロントサイドフレーム前部１１６は、突条部材１２２ａとプレート部材１２２ｂとの間で形成される閉断面内に挟み込まれた状態で、相互に対向する上下左右の４箇所が接合される。内側の各フロントサイドフレーム前部１１６及び外側の各フロントサイドフレーム後部１２２は、例えば、ＭＩＧ溶接（Metal Inert Gas Welding）やレーザ溶接等によって一体的に接合される。なお、左右フロントサイドフレーム前部１１６、１１６及びフロントクロスメンバ１１８は、ダッシュロアクロスメンバ１４よりも耐荷重の耐力が小さく設定されている。この点については、後記で詳細に説明する。
【００８８】
なお、中空管である各フロントサイドフレーム前部１１６は、例えば、鋼板をロールフォーム成形した後、加熱処理加工によって高強度化して形成されるとよい。また、各フロントサイドフレーム前部１１６を、アルミニウム押し出し成形やＦＲＰ（Fiber Reinforced Plastics）によって形成してもよい。アーチ状に湾曲するフロントクロスメンバ１１８は、鋼板をロールフォーム成形で中空管を形成した後、例えば、熱間３次元曲げ加工等によって高強度化して形成されるとよい。また、フロントクロスメンバ１１８を、アルミニウム押し出し成形中又はアルミニウム押し出し成形後に、曲げ加工によって形成するとよい。さらに、フロントクロスメンバ１１８を、マンドレル（芯金）にＦＲＰを巻き付けて硬化させるようにしてもよい。
【００８９】
図１１（ｃ）に示されるように、左右フロントサイドフレーム前部１１６、１１６とフロントクロスメンバ１１８の両端部１１８ａとは、水平方向に隣接する側面同士を重ね合わせて接合されている。この接合方法は、フロントサイドフレーム前部１１６及びフロントサイドフレーム後部１２２の接合方法と同一である。なお、左右フロントサイドフレーム前部１１６、１１６の前端１１６ａ及びフロントクロスメンバ１１８の両端部１１８ａには、矩形状の枠体からなる図示しないバルクヘッドが連結される。
【００９０】
ダッシュロアクロスメンバ１４の湾曲形状は、後記する図１３に示されるように、センタドライバシートＡに着席するセンタドライバＤに対して左右対称に構成されている。
【００９１】
図１２（ａ）は、センタドライバシートＡの下方に隆起部を設けた状態を示す車体前部の斜視図、図１２（ｂ）は、図１２（ａ）に示す車体前部から車体側部及びセンタドライバシートを外した状態を示す斜視図である。
【００９２】
センタドライバシートＡの下方のフロアパネル２６には、図１２（ａ）、図１２（ｂ）に示されるように、隆起部４０が設けられている。この隆起部４０は、フロアパネル２６の平坦面から鉛直上方向に向かって膨出して形成されることにより、その内部に収容空間が形成される。この隆起部４０の収容空間内には、例えば、図示しない燃料タンク又は走行駆動源（例えば、電動モータ、バッテリ等）が配置される。
【００９３】
他の実施形態に係る車体前部構造１０ａは、基本的に以上のように構成されるものであり、次にその作用効果について説明する。
【００９４】
図１３（ａ）は、前面衝突時に、左フロントサイドフレーム前部から入力された衝突荷重の伝達経路を示す平面模式図、図１３（ｂ）は、センタドライバの足元スペースを示す平面模式図、図１４（ａ）は、左フロントサイドフレーム前部から衝突荷重が入力される状態を示す平面模式図、図１４（ｂ）は、衝突荷重によって左右フロントサイドフレーム前部及びフロントクロスメンバが、ダッシュロアクロスメンバよりも優先的に潰れた状態を示す平面模式図である。
【００９５】
本実施形態では、例えば、前面衝突時（前面衝突時）において、図１３（ａ）に示されるように、左フロントサイドフレーム前部１１６の前端１１６ａから入力された衝突荷重（前面衝突荷重）（Ｆ）の一部（Ｆ１）が、車両後方に向かって湾曲するフロントクロスメンバ１１８に伝達される。さらに、衝突荷重（Ｆ１）は、相互に接合された頂点同士（結合点１３４）を介して、フロントクロスメンバ１１８から車両前方に向かって湾曲するダッシュロアクロスメンバ１４に伝達される。ダッシュロアクロスメンバ１４の両端部は、それぞれ、左右フロントピラー１２、１２間に接合されているため、左右フロントピラー１２、１２を介して衝突荷重（Ｆ１）を車体の左右両側に均等に分散させることができる。左右均等に分散された衝突荷重（Ｆ１）は、ダッシュロアクロスメンバ１４から左右フロントピラー１２、１２やサイドシル３２等に伝達される。
【００９６】
同時に、左フロントサイドフレーム前部１１６の前端１１６ａから入力された衝突荷重（Ｆ）の残部（Ｆ２）は、フロントサイドフレーム後部１２２及びアウトリガー３０を介して、ダッシュロアクロスメンバ１４、左フロアフレーム２８やサイドシル３２等に伝達される。このように他の実施形態では、例えば、前面衝突時に入力された衝突荷重（Ｆ）をキャビン全体で受容することにより、車体の小型化及び軽量化を達成することができる。
【００９７】
さらに、他の実施形態では、車幅方向に沿った車体前部の片側にドライバシートが配置された従来の車両と比較して、センタドライバＤの足元スペースを左右フロントピラー１２、１２よりも前方位置（図１３（ｂ）の領域Ｇ参照）に確保することができる。このため、本実施形態では、キャビン内のスペースをセンタドライバＤの足元スペース分（領域Ｇ）だけ拡大することができると共に、車両前後方向へのセンタドライバ位置の自由度（レイアウト）を増大させることができる。
【００９８】
さらにまた、他の実施形態では、仮に、左右フロントピラー１２、１２を鉛直下方向の位置でサイドシル前端３２ａに結合した場合と比較して、左右フロントピラー１２、１２を車両後方に向けて傾斜させて結合しているため（図９、図１０参照）、車両後方へ傾斜した分だけセンタドライバＤの足元スペースを、車両前方の位置に確保することができる。換言すると、左右フロントピラー１２、１２は、サイドシル前端３２ａの位置から車両前方に向けて立ち上がるように傾斜させることで、車両前方側に向けて傾斜した分だけセンタドライバＤの足元スペースを、車両前方の位置に確保することができる。
【００９９】
さらにまた、他の実施形態では、前面衝突時に入力される衝突荷重を、キャビンを構成する左右フロントサイドフレーム後部１２２、アウトリガー３０、及び、サイドシル３２によって吸収することにより、キャビン全体で受容することができる。また、本実施形態では、ダッシュロアパネル２４（図９、図１０参照）を車両前方に折曲（湾曲）させることで、センタドライバＤの足元スペースをより一層増大させることができる。
【０１００】
さらにまた、他の実施形態では、左右フロントサイドフレーム前部１１６、１１６及びフロントクロスメンバ１１８が、ダッシュロアクロスメンバ１４よりも耐荷重の耐力が小さく設定されている。このように設定されることで、図１４（ａ）と図１４（ｂ）とを比較して諒解されるように、前面衝突時に入力される衝突荷重で左右フロントサイドフレーム前部１１６、１１６及びフロントクロスメンバ１１８が、ダッシュロアクロスメンバ１４よりも優先的に潰れて衝撃荷重（Ｆ）を好適に吸収することができる。
【０１０１】
換言すると、車体前部構造１０ａにおいて、前側を構成する前側構成要素（左右フロントサイドフレーム前部１１６、１１６及びフロントクロスメンバ１１８）と、後側を構成する後側構成要素（ダッシュロアクロスメンバ１４）との間で耐荷重差を設定することにより、後側構成要素と比較して前側構成要素を軽量化することができる。
【０１０２】
さらにまた、他の実施形態では、中空管で構成される左右フロントサイドフレーム前部１１６、１１６及びフロントクロスメンバ１１８の断面積を小さくしても、内側の各フロントサイドフレーム前部１１６を外側の各フロントサイドフレーム後部１２２で挟み込んで嵌合することにより、所定の強度・剛性を確保しつつ軽量化を達成することができると共に、容易に製造することができる。
【０１０３】
さらにまた、他の実施形態では、左右フロントサイドフレーム前部１１６、１１６がフロントクロスメンバ１１８の両端部と水平方向に隣接する側面同士で重ね合わされて接合され、延在方向と直交する断面積が各フロントサイドフレーム前部１１６の断面積とフロントクロスメンバ１１８の断面積とが合算された断面積となって増大することにより、前面衝突時の衝突荷重に対する反力を増大させることができる。また、他の実施形態では、前面衝突に入力される衝突荷重によって、左右フロントサイドフレーム前部１１６、１１６及びフロントクロスメンバ１１８の両端部が同時又は略同時に潰されることにより、衝突荷重の吸収量を増大させることができる。
【０１０４】
さらにまた、他の実施形態では、センタドライバシートＡの下方のフロアパネル２６に隆起部４０が設けられ、この隆起部４０の収納空間内に図示しない燃料タンク又は走行駆動源が配置されることにより、キャビンスペースを拡大させて空間の有効利用を図ることができる。
【０１０５】
さらにまた、他の実施形態では、ダッシュロアクロスメンバ１４の湾曲形状が、センタドライバシートＡに着席するセンタドライバＤに対して左右対称に構成することで、センタドライバシートＡを車体前部に近接配置することが可能となり、例えば、フォミュラーワン（Ｆ１）のような走行感覚が得られると共に、前方視界が良好となり前方視界とセンタドライバＤの車体感覚とのズレを無くすことができる。
【０１０６】
さらにまた、他の実施形態では、アッパメンバ１２０の前端１２０ａが、左右フロントサイドフレーム前部１１６の前端１１６ａに接合されることにより、例えば、オフセット前面衝突の際、過大な衝撃荷重が、左右フロントサイドフレーム前部１１６、１１６の一方及びフロントクロスメンバ１１８に入力されると共に、アッパメンバ１２０にも入力されて衝撃荷重の分散化を達成することができる（図１４（ｂ）参照）。
【０１０７】
次に、本発明のさらに他の実施形態に係る車体前部構造１０ｂについて説明する。図１５（ａ）は、本発明のさらに他の実施形態に係る車体前部構造の平面模式図、図１５（ｂ）は、図１５（ａ）のＶ−Ｖ線に沿った縦断面図である。さらに他の実施形態に係る車体前部構造１０ｂでは、ダッシュロアクロスメンバ１４の頂点（結合点１３４）の後面と、左右フロアフレーム２８、２８間とを連結する第１荷重伝達部材（荷重伝達部材）１５０が設けられている点で前記他の実施形態と相違している。
【０１０８】
図１５（ａ）、図１５（ｂ）に示されるように、第１荷重伝達部材１５０は、ダッシュロアクロスメンバ１４の頂点（結合点１３４）の後面に接合されダッシュロアクロスメンバ１４から鉛直下方向に延在する鉛直部１５２と、鉛直部１５２の下端に接合され前記鉛直部１５２の下端から左右方向に開くと共に下方に傾斜して左右フロアフレーム２８、２８に接合される左右傾斜部１５４、１５４とから構成される。鉛直部１５２及び左右傾斜部１５４、１５４は、例えば、断面矩形状の中空の金属製管体、又は、断面円形又は矩形状の金属製中実体等によって形成されるとよい。
【０１０９】
さらに他の実施形態に係る車体前部構造１０ｂでは、第１荷重伝達部材１５０によって、ダッシュロアパネル２４の前後位置に略トラス（truss）構造を設けることができ、センタドライバＤの前方に位置するダッシュロアパネル２４の強度・剛性を向上させることができる。例えば、前面衝突の際、ダッシュロアパネル２４の後方に位置する略トラス構造（三角形Ｔ２参照）が、ダッシュロアパネル２４の前方に位置する略トラス構造（三角形Ｔ１参照）を潰して圧壊を促進し衝突荷重の吸収量を増大させることができる。
【０１１０】
続いて、本発明のさらに他の実施形態に係る車体前部構造１０ｃについて説明する。図１６（ａ）は、本発明のさらに他の実施形態に係る車体前部構造の斜視図、図１６（ｂ）は、図１６（ａ）のＶＩ−ＶＩ線に沿った縦断面図である。さらに他の実施形態に係る車体前部構造１０ｃでは、第２荷重伝達部材（他の荷重伝達部材）１６０が略水平方向に沿って架設されている点で前記他の実施形態及び前記さらに他の実施形態と相違している。
【０１１１】
この第２荷重伝達部材１６０は、延在方向と直交する断面が矩形状の中空体からなり、その前端がダッシュロアクロスメンバ１４の頂点（結合点１３４）の後面と接合され、その後端が左右フロントピラー１２、１２間を連結するステアリングハンガ１６２の中央に接合されている。
【０１１２】
さらに他の実施形態に係る車体前部構造１０ｃでは、第２荷重伝達部材１６０によって、ダッシュロアパネル２４の前後位置に略トラス（truss）構造を設けることができ、センタドライバＤの前方に位置するダッシュロアパネル２４の強度・剛性を向上させることができる。例えば、前面衝突の際、ダッシュロアパネル２４の後方に位置する略トラス構造（三角形Ｔ３参照）が、ダッシュロアパネル２４の前方に位置する略トラス構造（三角形Ｔ１参照）を潰して圧壊を促進し衝突荷重の吸収量を増大させることができる。
【符号の説明】
【０１１３】
１０、１０ａ、１０ｂ、１０ｃ  車体前部構造
１２    左右フロントピラー
１４    ダッシュロアクロスメンバ
１４ａ  前面
１６ａ  上部側ブラケット
１６ｂ  下部側ブラケット
１８    略Ｕ字フレーム
１８ａ  頂部
１８ｂ  脚部
２０    スライド面
２１    拘束部材
２２    連結部材
２４    ダッシュロアパネル
２６    フロアパネル
２８    左右フロアフレーム
３０    アウトリガー
３２    サイドシル
３２ａ  サイドシル前端
４０    隆起部
１１６    左右フロントサイドフレーム前部
１１８    フロントクロスメンバ
１２０    アッパメンバ
１２０ａ  アッパメンバ前端
１２２    左右フロントサイドフレーム後部
１５０    第１荷重伝達部材（荷重伝達部材）
１６０    第２荷重伝達部材（他の荷重伝達部材）
１６２    ステアリングハンガ
Ａ      センタドライバシート
Ｄ      センタドライバ
【図１】
2015050032.tif 000003
【図２】
2015050032.tif 000004
【図３】
2015050032.tif 000005
【図４】
2015050032.tif 000006
【図５】
2015050032.tif 000007
【図６】
2015050032.tif 000008
【図７】
2015050032.tif 000009
【図８】
2015050032.tif 000010
【図９】
2015050032.tif 000011
【図１０】
2015050032.tif 000012
【図１１】
2015050032.tif 000013
【図１２】
2015050032.tif 000014
【図１３】
2015050032.tif 000015
【図１４】
2015050032.tif 000016
【図１５】
2015050032.tif 000017
【図１６】
2015050032.tif 000018
【図１７】
2015050032.tif 000019
【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
車幅方向の中央且つ左右フロントピラーの近傍位置に配置される単一のセンタドライバシートと、
前記センタドライバシートの前方を囲むように前記左右フロントピラー間に両端部が接合され、車両前方に向かって凸形状のアーチ状に湾曲して形成されるダッシュロアクロスメンバと、
前記ダッシュロアクロスメンバの車両前方に配置され、該ダッシュロアクロスメンバの中央の頂点に前面衝突荷重を伝達する荷重伝達機構と、
を備え、
前記荷重伝達機構は、
左右前輪の内側に配置され、平面視して略Ｕ字状の頂部が車両前方に向かって突出する略Ｕ字フレームであることを特徴とする車体前部構造。
【請求項２】
（削除）
【請求項３】
請求項１記載の車体前部構造において、
前記略Ｕ字フレームは、前記頂部を間にした左右のスライド面を有することを特徴とする車体前部構造。
【請求項４】
請求項１記載の車体前部構造において、
前記左右フロントピラーは、前記ダッシュロアクロスメンバとの結合部から下方位置で車両後方に傾斜させてサイドシル前端に結合されることを特徴とする車体前部構造。
【請求項５】
請求項４記載の車体前部構造において、
前記略Ｕ字フレームは、左右脚部を有し、
前記左右脚部の後部に接合される連結部材が設けられ、
前記連結部材は、ダッシュロアパネルの傾斜面に沿って延在すると共に、
前記連結部材の下部は、フロアの前後方向に延びる左右フロアフレームと、車両前方に向かって湾曲するアウトリガーを介して前記サイドシル前端とにそれぞれ接合されることを特徴とする車体前部構造。
【請求項６】
請求項５項記載の車体前部構造において、
前記左右脚部間には、左脚部と右脚部とを繋ぐ拘束部材が架設されることを特徴とする車体前部構造。
【請求項７】
請求項１記載の車体前部構造において、
前記略Ｕ字フレーム及び前記ダッシュロアクロスメンバは、所定断面からなる中空管で形成されることを特徴とする車体前部構造。
【請求項８】
請求項１記載の車体前部構造において、
前記略Ｕ字フレームと前記ダッシュロアクロスメンバとは、上部側ブラケット及び下部側ブラケットによって上下方向から挟み込んで結合されることを特徴とする車体前部構造。
【請求項９】
請求項１記載の車体前部構造において、
前記ダッシュロアクロスメンバの湾曲形状は、前記センタドライバシートに着席するセンタドライバに対して左右対称であり、
前記センタドライバシートの下方のフロアパネルに隆起部が設けられ、
前記隆起部には、燃料タンク又は走行駆動源が配置されることを特徴とする車体前部構造。
【請求項１０】
（削除）
【請求項１１】
（削除）
【請求項１２】
（削除）
【請求項１３】
（削除）
【請求項１４】
（削除）
【請求項１５】
（削除）
【請求項１６】
（削除）
【請求項１７】
（削除）
【請求項１８】
（削除）
【請求項１９】
（削除）
【国際調査報告】
2015050032.tif 000020
2015050032.tif 000021
2015050032.tif 000022
2015050032.tif 000023